【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
第１の通信デバイスで、第１の通信イベントに関する第１のグローバル時間値を決定することと、前記第１のグローバル時間値は、グローバル時間ベースに関連し、
前記第１のグローバル時間値に少なくとも部分的に基づいて前記第１の通信イベントに関する第１のローカル時間値を決定することと、ここにおいて、前記第１の通信イベントに関する前記第１のローカル時間を決定することは、
グローバルナビゲーションシステムの１つ以上のエンティティからの信号およびワイヤレスワイドエリアネットワーク（ＷＷＡＮ）からの信号に少なくとも部分的に基づいて前記グローバル時間ベースへのローカルクロックのオフセットを決定することを具備する、
前記第１の通信イベントに関する前記決定された第１のローカル時間値に従って、少なくとも第２の通信デバイスと通信することと
を具備する方法。
【請求項２】
前記第１の通信デバイスで、複数の通信イベントを具備するイベントスケジュールを決定することをさらに具備し、前記複数の通信イベントの各々は、グローバル時間ベースに相関付けられたグローバル時間値に関連付けられる請求項１の方法。
【請求項３】
前記少なくとも第２の通信デバイスと通信することは、
前記第１の通信イベントに関する前記決定された第１のローカル時間値で、デバイス検出ウィンドウに対して、スリープ状態からアウェイク状態に移行することと、
前記デバイス検出ウィンドウにおいて前記少なくとも第２の通信デバイスとの接続を確立することと、
前記確立された接続を通じて前記少なくとも第２の通信デバイスとサービス情報を交換することとを具備する請求項１の方法。
【請求項４】
前記少なくとも第２の通信デバイスとグループランデブーイベントスケジュールを確立することをさらに具備し、前記グループランデブーイベントスケジュールは、第２の未来の通信イベントを具備する請求項１の方法。
【請求項５】
前記ローカルクロックは、前記第１の通信デバイスのシステムクロックを具備する請求項１の方法。
【請求項６】
前記グローバル時間ベースは、全地球測位システム（ＧＰＳ）システム時間に相関付けられる請求項１の方法。
【請求項７】
前記少なくとも第２の通信デバイスと通信することは、ワイヤレスローカルエリアネットワーク（ＷＬＡＮ）インターフェースを通じて行われる請求項１の方法。
【請求項８】
第１の通信デバイスで、第１の通信イベントに関する第１のグローバル時間値を決定する手段と、前記第１のグローバル時間値は、グローバル時間ベースに関連し、
前記第１のグローバル時間値に少なくとも部分的に基づいて前記第１の通信イベントに関する第１のローカル時間値を決定する手段と、前記第１の通信イベントに関する第１のローカル時間を決定する前記手段は、グローバルナビゲーションシステムの１つ以上のエンティティからの信号およびワイヤレスワイドエリアネットワーク（ＷＷＡＮ）からの信号に少なくとも部分的に基づいて、前記グローバル時間ベースへのローカルクロックのオフセットを決定する、
前記第１の通信イベントに関する前記決定された第１のローカル時間値に従って、少なくとも第２の通信デバイスと通信する手段とを具備する装置。
【請求項９】
前記第１の通信デバイスで、複数の通信イベントを具備するイベントスケジュールを決定する手段をさらに具備し、前記複数の通信イベントの各々は、前記グローバル時間ベースに相関付けられたグローバル時間値に関連付けられる請求項８の装置。
【請求項１０】
前記少なくとも第２の通信デバイスと通信する前記手段は、前記第１の通信イベントに関する前記決定された第１のローカル時間値で、デバイス検出ウィンドウに対して、スリープ状態からアウェイク状態に移行し、前記デバイス検出ウィンドウにおいて前記少なくとも第２の通信デバイスとの接続を確立し、前記確立された接続を通じて前記少なくとも第２の通信デバイスとサービス情報を交換する請求項８の装置。
【請求項１１】
前記少なくとも第２の通信デバイスとグループランデブーイベントスケジュールを確立する手段をさらに具備し、前記グループランデブーイベントスケジュールは、第２の未来の通信イベントを具備する請求項８の装置。
【請求項１２】
前記ローカルクロックは、前記第１の通信デバイスのシステムクロックを具備する請求項８の装置。
【請求項１３】
グローバル時間ベースは、全地球測位システム（ＧＰＳ）システム時間に相関付けられる請求項８の装置。
【請求項１４】
前記少なくとも第２の通信デバイスと通信する前記手段は、ワイヤレスローカルエリアネットワーク（ＷＬＡＮ）インターフェースを通じて通信する請求項８の装置。
【請求項１５】
通信デバイスのためのコンピュータプログラムであって、前記コンピュータプログラム製品は、非一時的コンピュータ可読媒体を備え、前記非一時的コンピュータ可読媒体は、請求項１乃至７のうちのいずれかの方法のステップを実行するためにプロセッサによって実行可能な命令を具備するコンピュータプログラム。
【手続補正２】
【補正対象書類名】明細書
【補正対象項目名】０１５０
【補正方法】変更
【補正の内容】
【０１５０】
[0163]前述の開示の説明は、当業者が本開示を構成または使用することを可能にするために提供されるものである。本開示への様々な修正は当業者には容易に明らかとなり、本明細書で定義された一般原理は、本開示の趣旨または範囲から逸脱することなく他の変形形態に適用され得る。本開示の全体にわたって「例（ｅｘａｍｐｌｅ）」または「代表的（ｅｘｅｍｐｌａｒｙ）」という用語は、例または実例を示すものであり、示された例に対して優先することを暗示したり必要としたりするものではない。したがって、開示は、本明細書に説明された例および設計に限定されるものではなく、本明細書に開示された原理および新奇な特徴に一致する最も広い範囲を与えられるものである。
以下に、本願の出願当初の特許請求の範囲に記載された発明を付記する。
［Ｃ１］
第１の通信デバイスで、第１の通信イベントに関する第１のグローバル時間値を決定することと、前記第１のグローバル時間値は、グローバル時間ベースに関連し、
前記第１のグローバル時間値に少なくとも部分的に基づいて前記第１の通信イベントに関する第１のローカル時間値を決定することと、
前記第１の通信イベントに関する前記決定された第１のローカル時間値に従って、少なくとも第２の通信デバイスと通信することとを具備する方法。
［Ｃ２］
前記第１の通信デバイスで、複数の通信イベントを具備するイベントスケジュールを決定することをさらに具備し、前記複数の通信イベントの各々は、グローバル時間ベースに相関付けられたグローバル時間値に関連付けられるＣ１の方法。
［Ｃ３］
前記イベントスケジュールは、前記第１の通信デバイスのデバイスクラスに従って前記第１の通信デバイスに対して用意されるＣ２の方法。
［Ｃ４］
前記少なくとも第２の通信デバイスと通信することは、
前記第１の通信イベントに関する前記決定された第１のローカル時間値で、デバイス検出ウィンドウに対して、スリープ状態からアウェイク状態に移行することと、
前記デバイス検出ウィンドウにおいて前記少なくとも第２の通信デバイスとの接続を確立することと、
前記確立された接続を通じて前記少なくとも第２の通信デバイスとサービス情報を交換することとを具備するＣ１の方法。
［Ｃ５］
前記少なくとも第２の通信デバイスとグループランデブーイベントスケジュールを確立することをさらに具備し、前記グループランデブーイベントスケジュールは、第２の未来の通信イベントを具備するＣ１の方法。
［Ｃ６］
前記少なくとも第２の通信デバイスと通信するために、前記第１の通信イベントに関連付けられた通信チャネルを決定することをさらに具備するＣ１の方法。
［Ｃ７］
前記第１の通信イベントに関する前記第１のローカル時間を決定することは、グローバルナビゲーションシステムの１つ以上のエンティティからの信号、ワイヤレスワイドエリアネットワーク（ＷＷＡＮ）からの信号、およびそれらの組合せの少なくとも１つに少なくとも部分的に基づいて前記グローバル時間ベースへのローカルクロックのオフセットを決定することを具備するＣ１の方法。
［Ｃ８］
前記ローカルクロックは、前記第１の通信デバイスのシステムクロックを具備するＣ７の方法。
［Ｃ９］
前記第１の通信デバイスのアプリケーションレイヤから前記第１の通信イベントを受信することをさらに具備するＣ１の方法。
［Ｃ１０］
前記グローバル時間ベースは、全地球測位システム（ＧＰＳ）システム時間に相関付けられるＣ１の方法。
［Ｃ１１］
前記少なくとも第２の通信デバイスと通信することは、ワイヤレスローカルエリアネットワーク（ＷＬＡＮ）インターフェースを通じて行われるＣ１の方法。
［Ｃ１２］
第１の通信デバイスで、第１の通信イベントに関する第１のグローバル時間値を決定する手段と、前記第１のグローバル時間値は、グローバル時間ベースに関連し、
前記第１のグローバル時間値に少なくとも部分的に基づいて前記第１の通信イベントに関する第１のローカル時間値を決定する手段と、
前記第１の通信イベントに関する前記決定された第１のローカル時間値に従って、少なくとも第２の通信デバイスと通信する手段とを具備する装置。
［Ｃ１３］
前記第１の通信デバイスで、複数の通信イベントを具備するイベントスケジュールを決定する手段をさらに具備し、前記複数の通信イベントの各々は、前記グローバル時間ベースに相関付けられたグローバル時間値に関連付けられるＣ１２の装置。
［Ｃ１４］
前記イベントスケジュールは、前記第１の通信デバイスのデバイスクラスに従って前記第１の通信デバイスに対して用意されるＣ１３の装置。
［Ｃ１５］
前記少なくとも第２の通信デバイスと通信する前記手段は、前記第１の通信イベントに関する前記決定された第１のローカル時間値で、デバイス検出ウィンドウに対して、スリープ状態からアウェイク状態に移行し、前記デバイス検出ウィンドウにおいて前記少なくとも第２の通信デバイスとの接続を確立し、前記確立された接続を通じて前記少なくとも第２の通信デバイスとサービス情報を交換するＣ１２の装置。
［Ｃ１６］
前記少なくとも第２の通信デバイスとグループランデブーイベントスケジュールを確立する手段をさらに具備し、前記グループランデブーイベントスケジュールは、第２の未来の通信イベントを具備するＣ１２の装置。
［Ｃ１７］
前記少なくとも第２の通信デバイスと通信するために、前記第１の通信イベントに関連付けられた通信チャネルを決定する手段をさらに具備するＣ１２の装置。
［Ｃ１８］
前記第１の通信イベントに関する前記第１のローカル時間を決定する前記手段は、グローバルナビゲーションシステムの１つ以上のエンティティからの信号、ワイヤレスワイドエリアネットワーク（ＷＷＡＮ）からの信号、およびそれらの組合せの少なくとも１つに少なくとも部分的に基づいて、前記グローバル時間ベースへのローカルクロックのオフセットを決定するＣ１２の装置。
［Ｃ１９］
前記ローカルクロックは、前記第１の通信デバイスのシステムクロックを具備するＣ１８の装置。
［Ｃ２０］
前記第１の通信デバイスのアプリケーションレイヤから前記第１の通信イベントを受信する手段をさらに具備するＣ１２の装置。
［Ｃ２１］
グローバル時間ベースは、全地球測位システム（ＧＰＳ）システム時間に相関付けられるＣ１２の装置。
［Ｃ２２］
前記少なくとも第２の通信デバイスと通信する前記手段は、ワイヤレスローカルエリアネットワーク（ＷＬＡＮ）インターフェースを通じて通信するＣ１２の装置。
［Ｃ２３］
通信デバイスのためのコンピュータプログラム製品であって、前記コンピュータプログラム製品は、非一時的コンピュータ可読媒体を備え、前記非一時的コンピュータ可読媒体は、
前記通信デバイスで、第１の通信イベントに関する第１のグローバル時間値を決定し、前記第１のグローバル時間値は、グローバル時間ベースに関連し、
前記第１のグローバル時間値に少なくとも部分的に基づいて前記第１の通信イベントに関する第１のローカル時間値を決定し、
前記第１の通信イベントに関する前記決定された第１のローカル時間値に従って、少なくとも第２の通信デバイスと通信するためにプロセッサによって実行可能な命令を具備するコンピュータプログラム製品。
［Ｃ２４］
前記非一時的コンピュータ可読媒体は、
前記通信デバイスで、複数の通信イベントを具備するイベントスケジュールを決定するように前記プロセッサによって実行可能な命令をさらに具備し、前記複数の通信イベントの各々は、前記グローバル時間ベースに相関付けられたグローバル時間値に関連付けられるＣ２３のコンピュータプログラム製品。
［Ｃ２５］
前記非一時的コンピュータ可読媒体は、
前記第１の通信イベントに関する前記決定された第１のローカル時間値で、デバイス検出ウィンドウに対して、スリープ状態からアウェイク状態に移行し、
前記デバイス検出ウィンドウにおいて前記少なくとも第２の通信デバイスとの接続を確立し、
前記確立された接続を通じて前記少なくとも第２の通信デバイスとサービス情報を交換するように前記プロセッサによって実行可能な命令をさらに具備するＣ２３のコンピュータプログラム製品。
［Ｃ２６］
前記非一時的コンピュータ可読媒体は、
前記少なくとも第２の通信デバイスとグループランデブーイベントスケジュールを確立し、前記グループランデブーイベントスケジュールは、第２の未来の通信イベントを具備するように前記プロセッサによって実行可能な命令をさらに具備するＣ２３のコンピュータプログラム製品。
［Ｃ２７］
前記非一時的コンピュータ可読媒体は、
前記少なくとも第２の通信デバイスと通信するために、前記第１の通信イベントに関連付けられた通信チャネルを決定するように前記プロセッサによって実行可能な命令をさらに具備するＣ２３のコンピュータプログラム製品。
［Ｃ２８］
前記非一時的コンピュータ可読媒体は、
前記第１の通信デバイスのアプリケーションレイヤから前記第１の通信イベントを受信するように前記プロセッサによって実行可能な命令をさらに含むＣ２３のコンピュータプログラム製品。
［Ｃ２９］
前記グローバル時間ベースは、全地球測位システム（ＧＰＳ）システム時間に相関付けられるＣ２３のコンピュータプログラム製品。
［Ｃ３０］
前記非一時的コンピュータ可読媒体は、
前記少なくとも第２の通信デバイスとの通信は、ワイヤレスローカルエリアネットワーク（ＷＬＡＮ）インターフェースを通じて通信するように前記プロセッサによって実行可能な命令をさらに具備するＣ２３のコンピュータプログラム製品。